【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
第２のクラスのネットワークデバイスのうちの第２のネットワークデバイスから発生したパケットを、第１のクラスのネットワークデバイスのうちの第１のネットワークデバイスにおいて検出することと、
前記パケットが前記第１のクラスのネットワークデバイスに関連付けられたタグを含んでいないとき、前記第２のネットワークデバイスが、前記第１のネットワークデバイスの少なくとも１つのネットワークインターフェースに隣接して通信可能に位置すると、前記第１のネットワークデバイスにおいて判断することと、
前記第１のクラスのネットワークデバイスに関連付けられたプロトコルメッセージを、前記第１のネットワークデバイスから送信することと、前記プロトコルメッセージは前記第２のネットワークデバイスが、前記第１のネットワークデバイスに隣接して通信可能に位置することを示す、
前記第１のネットワークデバイスから前記第２のネットワークデバイスに送信されたプローブメッセージが第３のネットワークデバイスによって検出されるかどうかに少なくとも部分的に基づいて、前記第２のクラスのネットワークデバイスのネットワークブリッジが、前記第１のネットワークデバイスに関連付けられた第１のネットワークセグメントと、前記第１のクラスのネットワークデバイスのうちの前記第３のネットワークデバイスに関連付けられた第２のネットワークセグメントとの間に通信可能に位置するかどうかを判断することと、前記プローブメッセージは前記第１のクラスのネットワークデバイスに関連付けられる、
を備える、方法。
【請求項２】
前記第１のネットワークデバイスから前記第２のネットワークデバイスに前記プローブメッセージを送信することと、
前記第１のクラスのネットワークデバイスのうちの前記第３のネットワークデバイスによって、前記プローブメッセージが検出されたかどうかを判断することと、
をさらに備える、請求項１に記載の方法。
【請求項３】
前記プローブメッセージが前記第３のネットワークデバイスによって検出されなかったと判断したことに応答して、前記ネットワークブリッジが、前記第１のネットワークセグメントと前記第２のネットワークセグメントとの間に通信可能に位置すると判断することと、
前記プローブメッセージが前記第３のネットワークデバイスによって検出されたと判断したことに応答して、前記第２のネットワークデバイスおよび前記第３のネットワークデバイスが、共通のネットワークセグメントに関連付けられていると判断することと、
をさらに備える、請求項２に記載の方法。
【請求項４】
前記パケット内に前記タグを、前記第１のネットワークデバイスにおいて挿入することと、
前記タグを含んでいる前記パケットを転送することと、
をさらに備える、請求項１に記載の方法。
【請求項５】
前記プロトコルメッセージは、隣接デバイス識別メッセージ、ビーコンメッセージ、または周期的同期メッセージのうちの１つを備える、請求項１に記載の方法。
【請求項６】
第１のクラスのネットワークデバイスに関連付けられたタグを含んでいない、第２のクラスのネットワークデバイスのうちの第２のネットワークデバイスからのパケットを検出することに少なくとも部分的に基づいて、前記第１のクラスのネットワークデバイスのうちの第１のネットワークデバイスが、通信ネットワーク内の前記第２のネットワークデバイスに隣接して通信可能に位置すると、前記第１のネットワークデバイスにおいて判断することと、
前記第１のネットワークデバイスから前記第２のネットワークデバイスにプローブメッセージを送信することと、
前記第１のクラスのネットワークデバイスのうちの第３のネットワークデバイスによって、前記プローブメッセージが検出されたかどうかを判断することと、
前記プローブメッセージが前記第３のネットワークデバイスによって検出されなかったと判断したことに応答して、前記第１のネットワークデバイスに関連付けられた第１のネットワークセグメントが、前記第２のクラスのネットワークデバイスのうちのネットワークブリッジデバイスを介して前記第３のネットワークデバイスに関連付けられた第２のネットワークセグメントに通信可能に結合されていると判断することと、
を備える、方法。
【請求項７】
前記第１のネットワークデバイスおよび前記第３のネットワークデバイスが、前記第１のクラスのネットワークデバイスのうちのネットワークブリッジデバイスである、請求項６に記載の方法。
【請求項８】
前記第３のネットワークデバイスによって、前記プローブメッセージが検出されたと判断したことに応答して、前記第２のネットワークデバイスおよび前記第３のネットワークデバイスが、共通のネットワークセグメントに関連付けられていると判断すること
をさらに備える、請求項６に記載の方法。
【請求項９】
前記第１のネットワークデバイスが、前記第２のネットワークデバイスに隣接して通信可能に位置すると判断することが、
前記第２のネットワークデバイスから前記パケットを、前記第１のネットワークデバイスのネットワークインターフェースにおいて受信することと、
前記パケットが前記タグを含んでいるかどうかを判断するために、前記パケットを読み取ることと、
を備える、請求項６に記載の方法。
【請求項１０】
前記方法は、
前記第１のネットワークデバイスが前記第２のネットワークデバイスに隣接して通信可能に位置すると判断したことに応答して、
前記パケットが、前記通信ネットワークの宛先デバイスに転送されるべきかどうかを判断することと、
前記パケットが、前記宛先デバイスに転送されるべきであると判断したことに応答して、
前記パケット内に、前記タグを挿入することと、
前記宛先デバイスに、前記パケットを転送することと、
をさらに備える、請求項６に記載の方法。
【請求項１１】
前記第１のネットワークデバイスが、前記第２のネットワークデバイスに隣接して通信可能に位置することの表示を、少なくとも前記第３のネットワークデバイスに提供することをさらに備える、請求項６に記載の方法。
【請求項１２】
前記第３のネットワークデバイスの前記ネットワークインターフェースが、前記第２のネットワークデバイスに隣接して通信可能に位置することを示す、前記第３のネットワークデバイスからの通知メッセージを検出したことに応答して、前記第２のネットワークデバイスに隣接して通信可能に位置する前記第３のネットワークデバイスのネットワークインターフェースを識別することをさらに備える、請求項６に記載の方法。
【請求項１３】
前記第２のネットワークデバイスに前記プローブメッセージを送信することが、
前記第２のネットワークデバイスをプローブする通信スケジュールを前記第３のネットワークデバイスと交渉することと、
前記通信スケジュールに従って、前記第２のネットワークデバイスに前記プローブメッセージを送信することと、
をさらに備える、請求項６に記載の方法。
【請求項１４】
前記第１のネットワークデバイスから前記第２のネットワークデバイスに前記プローブメッセージを送信することが、
前記パケットに関連付けられた送信元アドレスに少なくとも部分的に基づいて、前記第２のネットワークデバイスに関連付けられた宛先アドレスを決定することと、
前記第１のネットワークデバイスから前記宛先アドレスに前記プローブメッセージを送信することと、
をさらに備える、請求項６に記載の方法。
【請求項１５】
前記第２のネットワークデバイスに関連付けられた前記宛先アドレスが、前記第２のネットワークデバイスに関連付けられたメディアアクセス制御（ＭＡＣ）アドレスを備える、請求項１４に記載の方法。
【請求項１６】
前記プローブメッセージが前記第３のネットワークデバイスによって検出されたかどうかを判断することが、
前記プローブメッセージが前記第３のネットワークデバイスよって検出されたかどうかを判断するために前記第３のネットワークデバイスに問い合わせすることと、
前記プローブメッセージが前記第３のネットワークデバイスによって検出されたかどうかを示す、前記第３のネットワークデバイスからの応答メッセージを受信することと、
を備える、請求項６に記載の方法。
【請求項１７】
前記第１のネットワークデバイスおよび前記第３のネットワークデバイスがハイブリッドデバイスであり、前記第２のネットワークデバイスがレガシー通信デバイスであり、前記ネットワークブリッジデバイスがレガシーブリッジである、請求項６に記載の方法。
【請求項１８】
第１のクラスのネットワークデバイスのうちの第１のネットワークデバイスであって、前記第１のネットワークデバイスは、
ネットワークインターフェースと、
前記ネットワークインターフェースに結合されたデバイス検出ユニットと
を備え、前記デバイス検出ユニットが、
前記第１のクラスのネットワークデバイスに関連付けられたタグを含んでいない、前記第２のネットワークデバイスからのパケットを検出することに少なくとも部分的に基づいて、前記第１のネットワークデバイスが、通信ネットワーク内の第２のクラスのネットワークデバイスのうちの第２のネットワークデバイスに隣接して通信可能に位置すると判断し、
前記第１のネットワークデバイスから前記第２のネットワークデバイスにプローブメッセージを、前記ネットワークインターフェースを介して送信し、
前記第１のクラスのネットワークデバイスのうちの第３のネットワークデバイスによって前記プローブメッセージが検出されたかどうかを判断し、
前記プローブメッセージが前記第３のネットワークデバイスによって検出されなかったと、前記デバイス検出ユニットが判断したことに応答して、前記第１のネットワークデバイスに関連付けられた第１のネットワークセグメントが、前記第２のクラスのネットワークデバイスのうちのネットワークブリッジデバイスを介して前記第３のネットワークデバイスに関連付けられた第２のネットワークセグメントに通信可能に結合されていると判断する
ように動作可能である、第１のネットワークデバイス。
【請求項１９】
前記デバイス検出ユニットが、
前記プローブメッセージが前記第３のネットワークデバイスによって検出されたと、前記デバイス検出ユニットが判断したことに応答して、前記第２のネットワークデバイスおよび前記第３のネットワークデバイスが、共通のネットワークセグメントに関連付けられていると判断する
ようにさらに動作可能である、請求項１８に記載の第１のネットワークデバイス。
【請求項２０】
前記第１のネットワークデバイスが前記第２のネットワークデバイスに隣接して通信可能に位置すると前記デバイス検出ユニットが判断したことに応答して、前記デバイス検出ユニットが、
前記パケットが、前記通信ネットワークの宛先デバイスに転送されるべきかどうかを判断し、
前記パケットが前記宛先デバイスに転送されるべきであると、前記デバイス検出ユニットが判断したことに応答して、
前記パケット内に前記タグを挿入し、
前記タグを備える前記パケットを、前記宛先デバイスに転送する
ようにさらに動作可能である、請求項１８に記載の第１のネットワークデバイス。
【請求項２１】
前記第２のネットワークデバイスに前記プローブメッセージを送信するように動作可能な前記デバイス検出ユニットが、
前記第２のネットワークデバイスをプローブする通信スケジュールを前記第３のネットワークデバイスと交渉し、
前記通信スケジュールに従って、前記第２のネットワークデバイスに前記プローブメッセージを送信する
ように動作可能な前記デバイス検出ユニットをさらに備える、請求項１８に記載の第１のネットワークデバイス。
【請求項２２】
前記第２のネットワークデバイスに前記プローブメッセージを送信するように動作可能な前記デバイス検出ユニットが、
前記パケットに関連付けられた送信元アドレスに少なくとも部分的に基づいて、前記第２のネットワークデバイスに関連付けられた宛先アドレスを決定し、
前記第１のネットワークデバイスから前記宛先アドレスに前記プローブメッセージを送信する
ように動作可能な前記デバイス検出ユニットをさらに備える、請求項１８に記載の第１のネットワークデバイス。
【請求項２３】
第１のクラスのネットワークデバイスのうちの第１のネットワークデバイスのプロセッサによって実行されると、前記第１のネットワークデバイスに、
第２のクラスのネットワークデバイスのうちの第２のネットワークデバイスから発生したパケットを検出することと、前記パケットは前記第１のクラスのネットワークデバイスに関連付けられたタグを含んでいない、
前記パケットが前記タグを含んでいないことを検出したことに少なくとも部分的に基づいて、前記第２のネットワークデバイスが、前記第１のネットワークデバイスに隣接して通信可能に位置すると判断することと、
前記第１のネットワークデバイスから前記第２のネットワークデバイスにプローブメッセージを送信することと、
前記第１のクラスのネットワークデバイスのうちの第３のネットワークデバイスによって、前記プローブメッセージが検出されたかどうかを判断することと、
前記プローブメッセージが前記第３のネットワークデバイスによって検出されなかったと判断したことに応答して、前記第１のネットワークデバイスに関連付けられた第１のネットワークセグメントが、前記第２のクラスのネットワークデバイスのうちのネットワークブリッジデバイスを介して前記第３のネットワークデバイスに関連付けられた第２のネットワークセグメントに通信可能に結合されていると判断することと、
を行わせる、記憶された命令を有する、非一時的な機械可読媒体。
【請求項２４】
前記命令が、前記第１のネットワークデバイスに、
前記第３のネットワークデバイスによって、前記プローブメッセージが検出されたと判断したことに応答して、前記第２のネットワークデバイスおよび前記第３のネットワークデバイスが、共通のネットワークセグメントに関連付けられていると判断すること
をさらに行わせる、請求項２３に記載の非一時的な機械可読媒体。
【請求項２５】
前記命令が、前記第１のネットワークデバイスに、
前記第１のネットワークデバイスが、前記第２のネットワークデバイスに隣接して通信可能に位置することの表示を、少なくとも前記第３のネットワークデバイスに提供すること
をさらに行わせる、請求項２３に記載の非一時的な機械可読媒体。
【請求項２６】
前記第１のネットワークデバイスに、前記第１のネットワークデバイスから前記第２のネットワークデバイスに前記プローブメッセージを送信させる前記命令が、前記第１のネットワークデバイスに、
前記パケットに関連付けられた送信元アドレスに少なくとも部分的に基づいて、前記第２のネットワークデバイスに関連付けられた宛先アドレスを決定することと、
前記第１のネットワークデバイスから前記宛先アドレスに前記プローブメッセージを送信することと、
を行わせる命令を備える、請求項２３に記載の非一時的な機械可読媒体。